(57)【特許請求の範囲】
【請求項１】
円筒状に形成した操作ノブと、
前記操作ノブと一体的に回動し、当該操作ノブの駆動力を伝達する太陽ギアと、
前記太陽ギアに連結させた遊星ギアと、
前記遊星ギアを前記太陽ギアと協同して移動方向に導く内接ギアと、
前記遊星ギアに連結して外部装置を動作させるコントロールケーブルとを備え、
前記操作ノブの回動操作にしたがう駆動力を、前記した太陽ギア、遊星ギア、コントロールケーブルを介して外部装置に伝達し、外部装置を動作制御する構成としたことを特徴とするダイヤル式コントロール操作装置。
【請求項２】
請求項１に記載したコントロール操作装置において、
前記操作ノブの円筒状内には、前記コントロールケーブルによる動作制御とは別の動作制御を行う操作スイッチを配設したことを特徴とするダイヤル式コントロール操作装置。
【請求項３】
請求項１に記載したコントロール操作装置において、
前記操作ノブを回動可能に装着するベース部材と、
インナーケーブルを摺動自在に内装させたアウターケーブルを有するコントロールケーブルと、
前記ベース部材に配設し、前記アウターケーブルの一端部を所定位置に固着するクランプ部材とを備え、
前記インナーケーブルを前記遊星ギアの回動中心部から離間した偏心部に連結すると共に、前記操作ノブの回動範囲において前記偏心部の移動軌跡の両端部を結んだ延長線上に前記クランプ部材を配設したことを特徴とするダイヤル式コントロール操作装置。
【請求項４】
請求項１に記載したコントロール操作装置において、
前記操作ノブを回動可能に装着するベース部材と、
インナーケーブルを摺動自在に内装させたアウターケーブルを有するコントロールケーブルと、
前記ベース部材に配設し、前記アウターケーブルの一端部を所定位置に固着するクランプ部材とを備え、
さらに、円筒状の前記操作ノブの外周部には、かさ歯車として形成した連動ギアと、
平歯車で形成し、前記ベース部材に旋回可能に配設した遊星ギアと、
前記連動ギアに連結させるかさ歯車部と前記遊星ギアとを連結する平歯車部とを設けて前記ベース部材に回転可能に軸支した太陽ギアと、
前記遊星ギアを前記太陽ギアと協同して移動方向に導く内接ギアと、
前記操作ノブの回動操作方向に対し交差する方向に前記コントロールケーブルを駆動するように前記ベース部材に配設した前記クランプ部材とを備えて構成したことを特徴とするダイヤル式コントロール操作装置。
【発明の詳細な説明】
【技術分野】
【０００１】
本発明は、操作ノブの回動操作にしたがう駆動力をコントロールケーブルを介して外部装置に伝達し、外部装置を動作制御するダイヤル式コントロール操作装置に関する。
【背景技術】
【０００２】
ダイヤル式のコントロール制御装置としては様々なものがあるが、一例として自動車などに装備される空調用コントロール操作装置について述べる。
図１２及び図１３は、広く知られている車輌空調用コントロール操作装置を示し、図１２は同装置の正面図、図１３は同装置の平面図である。
【０００３】
図示する如く、風向調節用の操作ノブ１１、風量調節用の操作ノブ１２、温度調整用の操作ノブ１３がダイヤル式の操作ノブとした操作パネル１０に回動可能に設けられ、また、リアウインドの熱線に通電させるリアデフスイッチ１４、エアコンモードを切り換えるエアコンスイッチ１５、内気循環と外気導入を切り換える内外気切換スイッチ１６の各スイッチボタンが設けられている。
【０００４】
また、操作パネル１０は、ベース１７の前面側に設けられたハウジング部１７ａに取り付けられ、さらに、ハウジング部１７ａより後方に水平に延設させたベース１７には、上記した操作ノブ１１、１３のギアシャフト１８、２４を回動自在に軸受けする軸受部１９、２５が設けられている。
【０００５】
すなわち、操作ノブ１１がギアシャフト１８の一端部側に軸着され、また、ギアシャフト１８にはかさ歯車１８ａが設けられ、その他端部がベース１７に設けられた軸受部１９によって軸受けされている。
そして、かさ歯車１８ａをギアレバー２０のギア部２０ａに噛合させ、操作ノブ１１の回動をギアレバー２０に伝達させるようになっている。
【０００６】
ギアレバー２０は、ベース１７に形成した筒状の支軸部２１に回動自在に軸支されており、そして、このギアレバー２０のアーム部２０ｂには空調ユニット（図示省略）を動作制御するためのコントロールケーブル２２が連結されている。
【０００７】
したがって、操作ノブ１１を回動操作することにより、かさ歯車１８ａに連動したギアレバー２０が回動し、コントロールケーブル２２のインナーケーブル２２ａが押し出され、また、引き戻され空調ユニットの風向調整が行われる。
なお、コントロールケーブル２２は、インナーケーブル２２ａを摺動可能に内装させたアウターケーブル２２ｂを有するもので、アウターケーブル２２ｂの一端部がベース１７に配設したクランプ部材２３に固着されている。
【０００８】
また、操作ノブ１３についても上記同様に、一端側に操作ノブ１３を軸着したギアシャフト２４の他端側が軸受部２５によって回転自在に軸受けされ、また、このギアシャフト２４に設けられたかさ歯車２４ａが支軸部２６によって軸支されたギアレバー２７のギア部２７ａに噛合し、さらに、ギアレバー２７のアーム部２７ａにコントロールケーブル２８が連結されている。
【０００９】
したがって、操作ノブ１３を回動操作することにより、コントロールケーブル２８のインナーケーブル２８ａが押し出され、また、引き戻されて空調ユニットの温度調節が行われる。
なお、コントロールケーブル２８は、コントロールケーブル２２と同様に、インナーケーブル２８ａとアウターケーブル２８ｂとからなり、アウターケーブル２８ｂに一端部がブース１７に配設したクランプ部材２９に固着されている。
【００１０】
一方、上記したコントロール操作装置の場合、操作ノブの前面側に突出した凸状のノブ部を指先で摘んで操作するため、操作力が伝達しにくく、操作性が好ましくない。
また、従来の凸状のノブ部では、ノブ部の内側にプッシュスイッチやロータリースイッチを配設することができなかった。
さらに、操作スイッチを分散して配置しなければいけないという構造と、操作パネルの外観面での制約により、複数の操作スイッチが操作パネル上に分散して配置されるため、操作性が悪く、操作パネル全体が大きくなってしまうという問題があった。
このことから、操作ノブを円筒状に形成したコントロール操作装置が提案されている。
【００１１】
このコントロール操作装置は、円筒状の操作ノブにリング状の連動ギアを一体的に設けると共に、その連動ギアには遊星ギアを噛合させ、さらに、遊星ギアによって出力ギアを連動し、そして、出力ギアが上記同様のギアレバーを駆動するかさ歯車を連動してコントロールケーブルのインナーケーブル押し出し、また、引き戻す構成となっている。
【００１２】
【特許文献１】特開２００３−２６７０３４号公報
【特許文献２】特開２００４−２１００１９号公報
【発明の開示】
【発明が解決しようとする課題】
【００１３】
凸状のノブ部を有する操作ノブを備えたコントロール操作装置は、かさ歯車とギアレバーのギア比を一定に保ったままで、操作ノブの中央に操作スイッチを配置したり、操作ノブをリング状にしようとすると、操作ノブの大きさに比例してかさ歯車の外径が大きくなるため、ギアレバーの外径も大型化することになる。
【００１４】
そこで、円筒状の操作ノブを備えるコントロール操作装置では、操作ノブに太陽ギアとなる連動ギアを設けると共に、この連動ギアに噛合させた遊星ギアとギアレバーとの間に出力ギアを設けるなどの方法でギア比を調整する構成となっているが、複数の歯車を使った減速ギア構造となっているため、構造が複雑化するなどの問題があった。
【００１５】
上記した事情にかんがに、本発明では、円筒状の操作ノブを備える他、構成簡単にして小型化に適するダイヤル式コントロール操作装置を提供することを目的とする。
【課題を解決するための手段】
【００１６】
上記した目的を達成するため、本発明では第１の発明として、円筒状に形成した操作ノブと、前記操作ノブと一体的に回動し、当該操作ノブの駆動力を伝達する太陽ギアと、前記太陽ギアに連結させた遊星ギアと、前記遊星ギアを前記太陽ギアと協同して移動方向に導く内接ギアと、前記遊星ギアに連結して外部装置を動作させるコントロールケーブルとを備え、前記操作ノブの回動操作にしたがう駆動力を、前記太陽ギア、遊星ギア、コントロールケーブルを介して外部装置に伝達し、外部装置を動作制御する構成としたことを特徴とするダイヤル式コントロール操作装置を提案する。
【００１７】
第２の発明としては、第１の発明のコントロール操作装置において、前記操作ノブの円筒状内には、前記コントロールケーブルによる動作制御とは別の動作制御を行う操作スイッチを配設したことを特徴とするダイヤル式コントロール操作装置を提案する。
【００１８】
第３の発明としては、第１の発明のコントロール操作装置において、前記操作ノブを回動可能に装着するベース部材と、インナーケーブルを摺動自在に内装させたアウターケーブルを有するコントロールケーブルと、前記ベース部材に配設し、前記アウターケーブルの一端部を所定位置に固着するクランプ部材とを備え、前記インナーケーブルを前記遊星ギアの回動中心部から離間した偏心部に連結すると共に、前記操作ノブの回動範囲において前記偏心部の移動軌跡の両端部を結んだ延長線上に前記クランプ部材を配設したことを特徴とするダイヤル式コントロール操作装置を提案する。
【００１９】
第４の発明としては、第１の発明のコントロール操作装置において、前記操作ノブを回動可能に装着するベース部材と、インナーケーブルを摺動自在に内装させたアウターケーブルを有するコントロールケーブルと、前記ベース部材に配設し、前記アウターケーブルの一端部を所定位置に固着するクランプ部材とを備え、さらに、円筒状の前記操作ノブの外周部には、かさ歯車として形成した連動ギアと、平歯車で形成し、前記ベース部材に旋回可能に配設した遊星ギアと、前記連動ギアに連結させるかさ歯車部と前記遊星ギアとを連結する平歯車部とを設けて前記ベース部材に回転可能に軸支した太陽ギアと、前記遊星ギアを前記太陽ギアと協同して移動方向に導く内接ギアと、前記操作ノブの回動操作方向に対し交差する方向に前記コントロールケーブルを駆動するように前記ベース部材に配設した前記クランプ部材とを備えて構成したことを特徴とするダイヤル式コントロール操作装置を提案する。
【発明の効果】
【００２０】
第１の発明のコントロール操作装置は、操作ノブと一体的に回動する太陽ギアと、この太陽ギアに連結する遊星ギアと、この遊星ギアを前記太陽ギアと協同して移動方向に導く内接ギアと、前記遊星ギアに連結したコントロールケーブルとからなる連動機構によって外部装置を動作制御する構成であるので、複数の歯車を使用することのない簡単なギア構成とすることができる。
【００２１】
また、太陽ギアと内接ギアの協同により移動する遊星ギアにコントロールケーブル（インナーケーブル）を連結し、遊星ギアの旋回移動に連動してコントロールケーブルが押し出され、また、引き戻されるので、コントロールケーブルのストロークを大きくすることができる。この結果、装置形態の小型化に適するコントロール操作装置となる。
【００２２】
第１の発明のコントロール操作装置によれば、操作ノブが円筒状となっているので、第２の発明のように、操作ノブの円筒状内に操作スイッチを配設する場合でも、簡単なギア機構となっているので、ギア機構の配置に影響されることなく、操作ノブによる動作制御と操作スイッチによる別の動作制御を集約して配置することができる。
したがって、複数の動作制御機能を有する操作ノブを１つの操作装置として構成することができる。
また、操作スイッチの操作部を集約することができるので、操作性が向上すると共に、操作パネル上の占有面積を最小限とすることが可能となる。
【００２３】
第３の発明のコントロール操作装置は、前記インナーケーブルを前記遊星ギアの回転中心部から離間した偏心位置に設けられた偏心部に連結すると共に、前記操作ノブの回動範囲において前記偏心部の移動軌跡の両端部を結んだ延長線上に前記アウターケーブルを固着するクランプ部材を配設することによって、前記偏心部の移動軌跡がほぼ直線的な移動軌跡（近似直線軌跡）となるため、遊星ギアの回動軌跡によって生じるインナーケーブル一端部側の揺動を抑制することができる。
【００２４】
すなわち、コントロールケーブルのインナーケーブルをほぼ直線的に移動させることができるので、インナーケーブルが遊星ギアの回動中心に連結されて円弧状に回動する場合に比べてインナーケーブルにかかる曲げ応力を軽減し、操作ノブの操作性を向上させることができる。
【００２５】
第４の発明のコントロール操作装置は、円筒状の操作ノブの外周部にかさ歯車からなる連動ギアを設け、この連動ギアによって太陽ギアと遊星ギアとを駆動し、遊星ギアに連結したコントロールケーブルによって外部装置を動作制御する構成のもので、連動ギア、太陽ギア、遊星ギア、内接ギア及びコントロールケーブルからなる連動機構となっているが、第１の発明と同様に装置形態の小型化に有利なコントロール操作装置となる。
また、操作ノブの回動方向に対し、コントロールケーブルを交差する方向に配
設するタイプのコントロール操作装置に好適となる。
【発明を実施するための最良の形態】
【００２６】
次に、車輌空調用コントロール操作装置として実施した実施形態について図面に沿って説明する。
図１、図２、図３は第１実施形態を示し、図１はコントロール操作装置の正面図、図２は同コントロール操作装置の断面図、図３は要部の簡略図である。
【００２７】
図示する如く、このコントロール操作装置は、円筒状に形成した操作ノブ３１が温度調節用ダイヤルノブ、操作ノブ３１の円筒状内に配設した摘み凸部の操作ノブ３２が風量調整用のダイヤルノブとなっている。
すなわち、操作ノブ３１を回動操作し、その指標３１ａを表示部３３Ｔのシンボル３３ａに選択的に合わせ温度調節する。
また、凸部を指先で摘んで操作ノブ３２を回動操作し、その指標３２ａを表示部３３Ｆのシンボル３３ｂに選択的に合わせて風量調節する。
【００２８】
円筒形に形成した操作ノブ３１は、後部外周を歯車形成し、その歯車が遊星ギア３４を連動する太陽ギア３１ｂを構成している。
この操作ノブ３１は、ケース３５内に突出形成したケース円筒部３５ａの外周に回動可能に嵌装してあり、また、操作ノブ３１には、その指標３１ａがシンボル３３ａのそれぞれの位置で節度をもって回動できるようにクリックストップ機構（図示省略）が設けてある。
【００２９】
また、操作ノブ３１をケース円筒部３５ａに回動可能に保持する構成としては様々な手段があるが、この実施形態では、操作ノブ３１の内面にリング状に凹形部３１ｃを形成し、ケース円筒部３５ａに一体に形成した係止部３５ｂをその凹形部３１ｃの一端部に係止させて操作ノブ３１の抜け止めを図っている。
なお、上記の係止部３５ｂはケース円筒部３５ａの外周面の複数箇所に設けてある。
【００３０】
一方、上記したケース円筒部３５ａの前方部には、固定円筒体３６が固定してある。
具体的には、固定円筒体３６に係止孔３６ａを設け、この係止孔３６ａにケース円筒部３５ａの係止部３５ｃを係止させて固定してある。
上記の固定円筒体３６の前端内には、放射状に設けた複数の橋絡板３７を設け、橋絡板３７によって内筒体３８を支持する構成とし、さらに、操作ノブ３２を上記の内筒体３８に回動可能に挿入してある。
そして、操作ノブ３２のノブ軸３２ｂには風量調整スイッチ３９の動作軸３９ａが嵌着してある。
なお、風量調整スイッチ３９は後ケース４０に配設されている。
【００３１】
また、上記した固定円筒体３６と内筒体３８との間となる橋絡板３７の前側には、表示部３３Ｔ、３３Ｆを形成する表示板４１が固着してある。
この表示板４１は、シンボル３３ａ、３３ｂを透光性し、その他は非透光部として形成してあり、回路基板４２に設けたランプ４３を点灯させることでシンボル３３ａ、３３ｂが光学的に表示するようになっている。
【００３２】
他方、ケース３５には遊星ギア３４のギア軸３４ａを通すための弧形の案内軸孔４４が形成してあり、この案内軸孔４４とケース３５の上部に配設した弧状の内接ギア４５とで遊星ギア３４の旋動方向を案内するようにしてある。
そして、ケース３５より突出したギア軸３４ａにはコントロールケーブル４６のインナーケーブル４６ａを連結する連結部材４７が設けてある。
この、連結部材４７はギア軸３４aに対して回動可能となっている。
なお、インナーケーブル４６aは遊星ギア３４のギア軸３４aに直接に連結するようにしてもよい。
【００３３】
コントロールケーブル４６は従来例のものと同様のもので、摺動自在としたインナーケーブル４６ａを有するアウターケーブル４６ｂから構成してあり、図３に示す通り、アウターケーブル４６ｂの一端部をケース３５に配設したクランプ部材４８に固着し、インナーケーブル４６ａの一端部を上記した連結部材４７に取り付けてある。
【００３４】
上記した第１実施形態のコントロール操作装置は、操作ノブ３１を回動操作にしたがって太陽ギア３１ｂが一体回動し、したがって、遊星ギア３４が連動されて旋動し、図３に示すように、遊星ギア３４が３４Ａ、３４Ｂで示す範囲で旋回する。
このことから、インナーケーブル４６ａが遊星ギア３４の移動、つまり、操作ノブ３１の回動操作に応じて押し出され、また、引き戻されることから、外部装置としての空調ユニットが動作制御され、温度調節が行われる。
【００３５】
図４〜図７は第２実施形態を示し、図４はコントロール操作装置の正面図、図５は同コントロール操作装置の断面図、図６は同コントロール操作装置の平面図、図７は要部を示した簡略図である。
【００３６】
本実施形態では、操作ノブ３１の後部にかさ歯車を有する連動ギア５１を同軸回動するように固着し、そして、上記連動ギア５１に連動する太陽ギア５２と、この太陽ギア５２に連結した遊星ギア５３とを配設した構成に特徴があり、その他は上記の第１実施形態と同様の構成となっている。
【００３７】
本実施形態の太陽ギア５２は、連動ギア５１に噛合させるかさ歯車と、遊星ギア５３を噛合させる平歯車とが設けてあり、また、この太陽ギア５１は、ケース３５に一体として立設したギア軸３５ｄに回転自在に軸支してある。
また、遊星ギア５３は、太陽ギア５２のギア軸３５ａを中心としてケース３５に形成した弧状の案内軸孔５４にギア軸５３ａを突入させ、また、太陽ギア５２の平歯車とケース３５に設けた弧状ギア５５とに噛合して旋動するようになっている。
【００３８】
さらに、本実施形態では、コントロールケーブル４６のインナーケーブル４６ａを連結する連結部材４８については、遊星ギア５３の回動中心から離間した偏心位置に設けられている。
すなわち、インナーケーブル４６ａを遊星ギア５３の偏心位置に連結すると共に、操作ノブ３１の回動範囲において前記偏心位置に設けられた連結部材４７の回動軌跡の両端部を結んだ延長線上にクランプ部材４８が配設してある。
なお、連結部材４７は、遊星ギア５３に対して回動可能に取り付けられている。
また、連結部材４７が太陽ギア３１ｂに近接するような移動軌跡となるように遊星ギア５３の回動軌跡の中立位置において、遊星ギア５３の回動中心から太陽ギア３１ｂ側に離間した偏心位置に設けることが好ましい。
このようにすることによって、クランプ部材４８を太陽ギア３１ｂに近づけて配置することができるため、ケース３５を小型化することができる。
【００３９】
このように構成した第２実施形態は、操作ノブ３１を回動操作すると、その回動操作に対応して連動ギア５１に連動された太陽ギア５２がギア軸５３ａを支軸として回動する。
したがって、太陽ギア５２の平歯車によって連動される遊星ギア５３が太陽ギア５２の周りを旋回動し、操作ノブ３１の回動にしたがい図７に示す実線位置５３Ａから鎖位置５３Ｂの範囲で旋回移動する。
【００４０】
本実施形態では、遊星ギア５３が上記のように移動する場合、操作ノブ３１の回動範囲における連結部材４７の回動軌跡の一方端が図７に示す４７Ａの位置となり、その他方端が４７Ｂの位置となるように構成すると共に、連結部材４７の回動軌跡位置４７Ａと４７Ｂとを結んだ延長線上にクランプ部材４８を配設する構成としてある。
このように構成すれば、インナーケーブルの移動軌跡が近似直線軌跡となり、インナーケーブルに生じる曲げ応力を低減することができる。
なお、クランプ部材４８はケース３５に固定してあるため、連結部材４７の移動軌跡が太陽ギア５２側を通るように連結部材４７を遊星ギア５３に設けることが好ましい。
そうすることによって、クランプ部材４８を太陽ギア５２に近接した位置に配置することができるので、ケース３５を小型化することができる。
【００４１】
上記した第２実施形態のコントロール操作装置は、操作ノブ３１の回動操作により、連動ギア５１に連動される太陽ギア５２がギア軸３５ｄを支軸として回動し、これより、遊星ギア５３が連動されて太陽ギア５２の周りを旋回動する。
この結果、コントロールケーブル４６のインナーケーブル４６ａが連動部材４７の旋回と移動にしたがって押し出され、また、引き戻され、空調ユニットが動作制御される。
【００４２】
図８、図９、図１０は第３実施形態を示し、図８はコントロール操作装置の断面図、図９は要部を示す簡略図、図１０はコントロールケーブルの連結状態を示す簡略図である。
本実施形態は、上記した第２実施形態の太陽ギア５２に換えて扇状のかさ歯車５６ａを設けた太陽ギア５６を配設したことに特徴があり、その他は第２実施形態と同様の構成となっている。
【００４３】
この実施形態の太陽ギア５６は、連動ギア５１に噛合させるかさ歯車５６ａと、遊星ギア５３を連動する平歯車５６ｂとを備えた構成とし、また、この太陽ギア５６には、円形輪状のギア軸５６ｃを設け、このギア軸５６ｃをケース３５の一部に回動可能にして軸着してある。
【００４４】
本実施形態では、操作ノブ３１の回動操作により、連動ギア５１、太陽ギア５２、遊星ギア５３、コントロールケーブル５６を介して空調ユニットが動作制御されるので、この制御動作については第２実施形態のコントロール操作装置と同様となる。
【００４５】
図１１は第４実施形態として示した図３、図７、図１０同様の要部簡略図である。
本実施形態は、太陽ギア５７に連動する遊星ギア５８に旋回部材５９を設けたことが特徴となっている。
具体的には、旋回部材５９の一方側を遊星ギア５８の中心部に固着し、その他方側にコントロールケーブル４６の連結部材４７を設け、さらに、連結部材４７の回転軌跡の一端側４７Ａとその他端側４７Ｂとを結ぶ延長線上にクランプ部材４８を配設する構成としてある。
【００４６】
本実施形態のように遊星ギア５８に旋回部材５９を設ける構成では、旋回部材５９の長さを調整することができる。
また、図１１に示すように連結部材４７の移動軌跡が太陽ギア５７に近接するように描かれるように、連結部材４７を遊星ギア５８の中心部から離間した偏心位置となるように旋回部材５９に設けることが好ましい。
このように構成することによって、クランプ部材４８を太陽ギア３１ｂに近づけて配置することができるため、ケース３５を小型化することができる。
また、図１１において、５８Ａ、５８Ｂは遊星ギア５８が旋回動した状態を示す。
なお、上記した第１実施形態の遊星ギア、第２、第３実施形態の遊星ギア５３についても上記した旋回部材５９を設ける構成とすることができる。
【００４７】
以上、好ましい実施形態について説明したが、内接ギア４５は弧状のギアとすることなく、リング状のギアとすることもでき、また、操作ノブ３２によって動作制御されるスイッチは、個別のものとして取り付けるスイッチの他、回路基板４２に設けた接点を操作ノブによって切り換える構成としてもよく、また、このように操作ノブ３１内に配設する操作ノブはプッシュスイッチやロータリースイッチとすることができる。
【００４８】
また、本発明のコントロール操作装置は、ギア構成が太陽ギア、遊星ギア、内接ギアまた、連動ギア、太陽ギア、遊星ギア、内接ギアからなるので、ギア構成を小型化することができ、ギア構成部をケース内に収容することができる。
この結果、操作ノブ毎に共通した形状とすることができるので、自動車の車種などによって異なる機能を有する操作ユニットを自由に組み合わせることができるダイヤル式のコントロール操作装置を提供することができる。
例えば、ＴＥＭＰノブユニット、モードノブユニット、ＦＡＮノブユニットなどをそれぞれ１つのユニットとして個別に構成しデザインに応じた組み合わせ配置により取り付けることができる。
【産業上の利用可能性】
【００４９】
自動車に備える空調用コントロール操作装置などのようにダイヤル式の操作ノブを回動操作して外部装置を動作制御するコントロール操作装置に適用することができる。
【図面の簡単な説明】
【００５０】
【図１】第１実施形態として示したコントロール操作装置の正面図である。
【図２】第１実施形態として示したコントロール操作装置の断面図である
【図３】第１実施形態として示したコントロール操作装置の要部を示した簡略図である。
【図４】第２実施形態として示したコントロール操作装置の正面図である。
【図５】第２実施形態として示したコントロール操作装置の断面図である。
【図６】第２実施形態として示したコントロール操作装置の平面図である。
【図７】第２実施形態として示したコントロール操作装置の要部を示した簡略図である。
【図８】第３実施形態として示したコントロール操作装置の断面図である。
【図９】第３実施形態として示したコントロール操作装置の要部を示した簡略図である。
【図１０】第３実施形態として示したコントロール操作装置に備えるコントロールケーブルの連結状態を示した簡略図である。
【図１１】第４実施形態として示したコントロール操作装置の要部を示した簡略図である。
【図１２】従来例として示したコントロール操作装置の正面図である。
【図１３】従来例として示したコントロール操作装置の平面図である。
【符号の説明】
【００５１】
３１  操作ノブ
３１ｂ  太陽ギア
３２  操作ノブ
３３Ｔ、３３Ｆ  表示部
３４  遊星ギア
３５  ケース
３５ｄ  ギア軸
３６  固定円筒体
３８  円筒体
３９  風量調節スイッチ
４４  案内軸孔
４５  弧状孔
４６  コントロールケーブル
４７  連結部材
４８  クランプ部材
５１  連動ギア
５２  太陽ギア
５３  遊星ギア
５６  太陽ギア
５７  太陽ギア
５８  遊星ギア
５９  遊星ギア
【図１】
0004904546.tif 000002
【図２】
0004904546.tif 000003
【図３】
0004904546.tif 000004
【図４】
0004904546.tif 000005
【図５】
0004904546.tif 000006
【図６】
0004904546.tif 000007
【図７】
0004904546.tif 000008
【図８】
0004904546.tif 000009
【図９】
0004904546.tif 000010
【図１０】
0004904546.tif 000011
【図１１】
0004904546.tif 000012
【図１２】
0004904546.tif 000013
【図１３】
0004904546.tif 000014